(57)【要約】【課題】コーンを核としてその周囲に視認性を高めた表示構造を両側に張り出して取付け、表示機能を向上させるとともに、表示構造の端部に主として可撓性の連結鯛を取付けて複数のコーンを任意の間隔で並べて区画を仕切ることができる簡単な構造の立体標識を提供する。【解決手段】ベース部３の中央に所要寸法の錘形のコア部４が直立して形成される支持体２と、この支持体２の前記コア部４に沿わせて外嵌するシート材を組み合わせて形成された表示体１０とで構成され、前記表示体１０は前記コア部４に被嵌する保持部１１と、その保持部１１から半径方向に少なくとも一方へ張出した表示翼部１２とを備え、表面に所要の図形１６・文字１５などの表示事項が付されている。【選択図】図１
0003135783.tif 000002
【実用新案登録請求の範囲】
【請求項１】
ベース部の中央に錘形のコア部が直立して形成される支持体と、この支持体の前記コア部に沿わせて外嵌される表示体とで構成され、
前記表示体は、前記コア部に被嵌される保持部と、この保持部から半径方向に張出される表示翼部とを備えるとともに、これら保持部と表示翼部とが連接する二枚のシート材で形成され、前記保持部で前記支持体のコア部を挟み付けるようにして表示翼部が重ね合わされることを特徴とする立体標識。
【請求項２】
前記表示翼部は、表面に所要の表示事項が付され、かつ先端部に連結部材の取付部が設けられている請求項１に記載の立体標識。
【請求項３】
前記表示体は、前記保持部から表示翼部が両側に張出すようにして形成され、前記保持部を除いて表示翼部とそれに繋がる保持部両側綴じ合わせ部分が一体的に接合されている請求項１または２に記載の立体標識。
【請求項４】
前記表示体は、二枚のシート材を重ね合わせた領域の要所においてファスナーにより分離可能に接合される請求項１〜３のいずれかに記載の立体標識。
【請求項５】
前記表示翼部は、補強部材を内在させて形成されている請求項１〜４のいずれかに記載の立体標識。
【請求項６】
前記表示翼部の先端部に設けられる取付部が連結用孔であり、複数個の立体標識が、前記連結用孔に可撓性連結部材を挿通して相互に連結できるようにされている請求項２に記載の立体標識。
【考案の詳細な説明】
【技術分野】
【０００１】
本考案は、トラフィック・コーンを基本の支持体として、これに表示体を外嵌装着して機能性を向上させた立体標識に関するものである。
【背景技術】
【０００２】
従来、トラフィック・コーン（一般にコーンと呼称されており、以下単に「コーン」という。）は、屋外での工事現場や道路などで人の通行を規制するために、注意を喚起する目的で多く使用されている。このコーンは、地上に配置して通行者が通常の意識から注意を喚起させる手段として利用するのに適した寸法形状に形成されている。一方、このコーンは、さらにその注意喚起機能をより向上させる試みとして、コーンの表面に、例えば「○○注意」などの文字を直接記載して表示したり、あるいは別途所要の文字を記載したシートを円錘筒状にしたものをコーンに被せて表示するなど、コーンに付加してより明瞭に注意喚起するものが実用に供されている。このようなものについては、例えば特許文献１などによって知られている。
【０００３】
また、前記コーンを路上などで複数並べて通行規制に使用する場合、配置する複数のコーン間を棒材で連結して警戒区域を仕切るような手段が講じられている。このような仕切りを行う仕切り棒（棒材）は、所要長さの棒体の両端に、コーンの先頭部に外嵌するリング部が形成されたものであり、この仕切り棒によって隣接位置にあるコーン同士を繋ぐようにして使用されるコーンの数を省略し、コーンの配置を合理的に行えるようにされている（特許文献２における図４参照）。
【０００４】
しかしながら、前記特許文献１などによって知られるものでは、ほぼ扇形に形成したシートの表面に伝達事項・広告などの内容を表示したものをコーンの周面に沿うよう截頭円錐形に形成し、これをコーンに被せて固定するようにされている。したがって、外被させる表示体はシート状態で印刷などを行えば任意の内容を表示できるが、何分にもコーンの外面に沿って表示できるにとどまり、方向性を特定するには表示シートをコーンに外被する際、たとえばベースの縁を基準にして装着するなどの配慮が必要になり、また使用箇所での設置時に表示向きを定めて配置する必要があり不便であるという問題がある。また、表示量が制限されるので、ごく簡単な記載事項に限定されるという問題もある。さらに例えばイベントに関連する事項や短期間の行事などで表示使用する場合、その行事などが終了すると、コーンはそのまま利用できるが表示事項を記載した表示体は不要になるので、廃棄処分する必要が生じる。しかし、その表示体はコーンの外形に沿った截頭円錐形状にされているので、多くを集積すると非常に嵩張り始末のために多くの費用を要するという問題点がある。
【０００５】
一方、前述のようにコーンを複数並べて連結棒により繋いで区画規制を行う場合、作業性は連結棒の両端に形成されるリング部をコーンの先頭部に外嵌することでその連結棒を掛け渡して処置できるが、連結棒の長さによってコーンの配置間隔が定まり、配置場所の位置や地形によって配置連結するコーンの間隔が一定に揃えることができない時には有効性に欠けるという問題点がある。言い換えると、連結棒を使用する方式では、コーンの配置間隔を自由に設定することができないという問題点がある。そこで、前記連結棒に代えて配置される複数のコーン間にロープやテープを張架して区画規制することが行われている（例えば、特許文献２〜４など参照）。
【０００６】
しかしながら、ロープやテープなどの可撓性部材を使用して前記連結棒のように区画を仕切るには、特許文献２によって知られるようにコーンの先頭部にロープの挿通孔や溝部を設けること、あるいは特許文献３によって知られるようにテープをコーンの先頭部側面に固着するための固定支持具を取付けること、さらには特許文献４によって知られるようにコーンの先頭部内側にテープの巻き込み装置を組み込むことなど特別な構造のコーンを使用する必要が生じる。したがって、特定のコーンを用意する必要があり、従来の連結棒により仕切る場合に比べてコーンの配置間隔や配列を自由にできる利点を備えるもコーンの互換性が全くないという問題点がある。
【０００７】
【特許文献１】特開２０００−２０４５２４号公報
【特許文献２】特開２００７−４８４３５号公報
【特許文献３】特開２００４−１６９４２４号公報
【特許文献４】実開平５−８７０１４号公報
【考案の開示】
【考案が解決しようとする課題】
【０００８】
本考案は、このような事情に鑑みてなされたもので、コーンを核としてその周囲に視認性を高めた表示翼部を両側に張り出して取付け、表示機能を向上させるとともに、この表示翼部の剛性を高めて複数のコーンを任意の間隔で並べて区画を仕切るといった用途などに効果的に利用することのできる立体標識を提供することを目的とするものである。
【課題を解決するための手段】
【０００９】
前記目的を達成するために、本考案による立体標識は、
ベース部の中央に錘形のコア部が直立して形成される支持体と、この支持体の前記コア部に沿わせて外嵌される表示体とで構成され、
前記表示体は、前記コア部に被嵌される保持部と、この保持部から半径方向に張出される表示翼部とを備えるとともに、これら保持部と表示翼部とが連接する二枚のシート材で形成され、前記保持部で前記支持体のコア部を挟み付けるようにして表示翼部が重ね合わされることを特徴とするものである。
【００１０】
前記考案において、前記表示翼部は、表面に所要の表示事項が付され、かつ先端部に連結部材の取付部が設けられているのが好ましい（第２考案）。
【００１１】
また、前記表示体は、前記保持部から表示翼部が両側に張出すようにして形成され、前記保持部を除いて表示翼部とそれに繋がる保持部両側綴じ合わせ部分が一体的に接合されているのが良い（第３考案）。また、前記表示体は、二枚のシート材を重ね合わせた領域の要所においてファスナーにより分離可能に接合されるのが好ましい（第４考案）。さらに、前記表示翼部は、補強部材を内在させて形成されているのが良い（第５考案）。
【００１２】
また、前記表示翼部の先端部に設けられる取付部が連結用孔であり、複数個の立体標識が、前記連結用孔に可撓性連結部材を挿通して相互に連結できるようにされているのが良い（第６考案）。
【考案の効果】
【００１３】
本考案によれば、既存形状のコーンを使用してそのコア部に表面積の大きい表示体を側方に表示翼部を張出させるようにして装着し、広い面積の表示体により大きく目的の表示を顕示させることができ、表示効果を高めることができる。しかも、その表示翼部が装着するコア部の中心から放射状に突出させる状態となるので、必要に応じて方向を指示することができる。また、本考案の立体標識によれば、保持部と表示翼部とが連接する二枚のシート材で形成されているので、その剛性を高めることができ、使用中に表示翼部の先端部がだれたりするのを確実に防止することができる。
【００１４】
また、本考案の立体標識は、支持体のコア部に対して外被する表示体をその側方に張出す表示翼部を利用してその先端部に設けた連結孔に連結部材となるロープあるいはチェンを繋ぐようにすることで、在来のコーンを複数使用してこのコーン（立体標識）同士を連結することにより、任意の方向に連結部材を張架して警戒区画を仕切ることができる。しかも、表示体をコーンに対して着脱可能にすることで、既存の標準型のコーンをそのまま利用することができ、より有効に機能させることができる。
【考案を実施するための最良の形態】
【００１５】
次に、本考案による立体標識の具体的な実施の形態について、図面を参照しつつ説明する。
【００１６】
図１には本実施形態の立体標識の一実施形態の全体斜視図が、図２には表示体と支持体とが分離された状態の一態様を表わす図が、図３には複数の立体標識を連結部材としてのチェンで繋いだ一態様を表わす図が、それぞれ示されている。
【００１７】
この実施形態の立体標識１は、外形が正方形に形成されたベース部３およびこのベース部３の中央に所要高さで形成される円錐形のコア部４とでなる周知構造にされた合成樹脂製の支持体２と、この支持体２のコア部４に外被する表示体１０とで構成されている。なお、前記支持体２の外形寸法は一般に流通しているコーンと同様の寸法にされているのが好ましい。
【００１８】
前記表示体１０は、例えば図２に示されるように、中央部を前記支持体２のコア部４に外嵌し得る截頭円錐形の保持部１１として、その両側に表示しようとする目的に応じて外形が観者（購買者など）にアピールする形状で表示翼部１２が一体に形成され、全体の表面（保持部表面１２ａ、表示翼部表面１２ｂ）に目的対象となる事項に応じた文字１５，１５ａや図形１６などを印刷したものとされている。この表示体１０は、例えばポリプロピレン樹脂、あるいは塩化ビニルなど硬質の熱可塑性樹脂のシートで形成されている。ただし、これらに限定されるものではない。
【００１９】
前記表示体１０は、前記保持部１１を形成する部分とその両側に連接する表示翼部１２，１２とが一体に形成される一枚のシート材１３を用い、このような同形に切り抜かれたシート材１３を二枚重ね合わせて截頭円錐形の保持部１１と表示翼部１２，１２とが構成されている。なお、この表示体１０を構成するに際しては、前記保持部となる部分を例えば熱を加えてシート材１３を二枚で支持体２のコア部４外周にほぼ合致する截頭円錐形の半分を形成するように塑性加工し、この加工された二枚のシート材１３を重ね合わせて両表示翼部１２，１２と保持部１１の側縁部１１ａとを例えば高周波ウエルダー加工によって接合して形成される。こうすることによって、二枚のシート材１３，１３を接合形成された両表示翼部１２，１２は、剛性が高められて変形しないで直線状に維持される。
【００２０】
このように形成される表示体１０は、その両表示翼部１２，１２の先端部に、連結孔１４（本考案の取付部に対応）が設けられている。そして、表示体１０の表面には、用途に応じた文字１５，１５ａや図形１６を表示して、使用時に通行する歩行者などに表示した事項を認識容易なようにされる。この表示体１０は、保持部１１とその側方に張出して形成される表示翼部１２，１２とによって広い面積を所有するので、表面に表示する事項の情報量を従来のコーンに比べてより多く記載することができる。この表示体１０に記載する文字１５・図形１６などは、シート材１３が平板な状態において所要の表示をシート表面に印刷することで掲載を容易にする。また、前述のように一体形成されると、表示体１０の前後両面に表示させることができるので、情報量をより多く掲載でき、かつ両面で表示できるから観者に対しての情報伝達効果を高めることができる。
【００２１】
このように構成される本実施形態の立体標識１は、支持体２がベース部３によって円錐型のコア部４を安定保持しており、この支持体２のコア部４に保持部１１を外被して表示体１０が支持されるので、その表示体１０の形状（表示翼部１２）が支持体２に比べて外側に大きく食み出す（突出す）形状であっても、重心が支持体２のコア部４に位置する限り転倒することなく表示することができる。しかも、表示体１０は円錐形である支持体２のコア部４に対して外側へ展開した状態で配することができるので、表示面を大きくすることができ、視認性が高められ、かつ表示内容を十分盛り込んで表示することができる。
【００２２】
一方、この表示体１０は、大きく展開できる表示翼部１２，１２をその表示内容に合わせて外形を任意の形状にすることができるので、より効果的に表示できる。また、使用に際して表示体１０の表示内容が変更されることになっても、支持体２に対して表示体１０が簡単に脱着できるから、表示内容の異なる表示体１０を準備しておけば、立体標識１全体を変えることなく新たな表示体１０と交換して新しい表示が行えるという即応的な表示変更が行えるという利点がある。
【００２３】
また、この立体標識１は、複数並べて相互に連結部材２０、例えばチェンやロープで繋いで制限区域を設けるに際しても、表示翼部１２に設けてある連結孔１４に、そのロープもしくはチェンを掛け通すことにより、図３に例示されるように隣接する立体標識１，１間を前記連結部材２０（図ではプラスチック製のリンクチェンで表している）によって繋いで区画を仕切ることができる。もちろん、可撓性の連結部材２０を用いるので、直線状態での区画仕切り以外の条件にも対応できる。なお、ここで使用される連結部材２０として例えばプラスチック製のチェンを使用すれば、張架される区間での自重による垂れ下がりを少なくすることができる。また、このようなプラスチック製のリンクチェンを用いる場合は、表示翼部１２に設けられた連結孔１４に対してリンクチェンの掛け止め部２１としてリングの一部を切り欠きを設けて連結孔１４に通し得るようにしたものを使用するのが好ましい。
【００２４】
使用が終わって撤去するに際しては、支持体２のコア部４に対して表示体１０は、保持部１１を外嵌しているので、その嵌め合わせ部において両者を分離すれば、支持体２を従来のコーンと同様にコア部４を重ね合わせて嵩低くできる。したがって、分離された表示体１０のみを集めて処理することができるので、輸送時における嵩を低くして取扱いを容易にするとともに、輸送コストの削減を図ることができる。
【００２５】
図４には表示体の他の実施形態を表わす斜視図が示されている。この実施形態の表示体１０Ａは、表示体１０Ａの保持部１１と表示翼部１２とがシート材１３で形成される状態で二枚に分離できる表示部片１３Ａ、１３Ｂを重ね合わせる構成のものである。この両表示部片１３Ａ，１３Ｂ（前述のように一枚ずつ加工形成されたもの）が、保持部１１として組み合わされる縁部１１ａと表示翼部１２の形成部位との適所に、たとえばホックなどのファスナー２５を使用して閉じ合わせるようにしたものである。このように組み合わせ構成される表示体１０Ａは、ファスナー２５による接合箇所以外については前述の実施形態と同様である。なお、表示翼部１２，１２の閉じ合わせ部分の周縁は、前後いずれか一方のシート材の周縁部をカールさせて隙間を覆う形状（図示せず）としておくのが好ましい。
【００２６】
このように形成される表示体１０Ａは、表示体１０Ａを支持体２に装着する際、予め二枚の両表示部片をファスナーで閉じ合わせて一体化した後にコア部４に外嵌する。あるいは二枚の表示部片１３Ａ，１３Ｂの保持部分１１ａ，１１ａを支持体２のコア部４に沿わせて前後から挟みつけながらファスナー２５で閉じ合わせる。というように任意組み立てすることができる。使用に際しては、前記実施形態と同様である。この形態の表示体１０Ａを採用すると、使用後における撤去時に、表示体１０Ａをファスナー２５による締結部で分解して表示体１０Ａを嵩低く処置することができるという利点がある。
【００２７】
また、図示省略するが、他の実施形態として、前記表示体１０または１０Ａを形成する際、二枚の表示部片（シート材）の表示翼部１２の接合部分に、補強部材として剛性の高いシート片、たとえば薄金属板（鉄板、アルミニウム板など）を挟み込むようにしておくと、使用中に連結部材（ロープなど）による変則的作用による負荷で表示翼部１２が変形するのを防止できる。
【００２８】
以上の説明においては、支持体のコア部が円錐形のものについて記載したが、これに限定されるものではなく、角錐形のものであってもよい。この角錐形のコーン部である場合は、表示体の保持部をそのコア部表面に対応した形状にするのが好ましく、この場合は、コア部表面が平面的に形成されるので、方向性が生じるから、表示体を配置する場所に応じた向きでコア部に外被させることが必要である。また、表示体の保持部については、前記記載に限定されるものではなく、支持体のコア部に保持できる形状構造であればよい。また、表示体が二枚に分離できる構成とする場合、接合用のファスナーとしては両面テープのような粘着テープを使用するようにしてもよい。さらに、本考案では前記表示翼部について、片側のみとすることもできる。
【図面の簡単な説明】
【００２９】
【図１】本実施形態の立体標識の一実施形態の全体斜視図
【図２】表示体と支持体とが分離された状態の一態様を表わす図
【図３】複数の立体標識を連結部材としてのチェンで繋いだ一態様を表わす図
【図４】表示体の他の実施形態を表わす斜視図
【符号の説明】
【００３０】
１      立体標識
２      支持体
３      ベース部
４      コア部
１０，１０Ａ      表示体
１１      保持部
１１Ａ    表示部片
１１ａ，１１ｂ      表示面
１２      表示翼部
１４      連結孔（取付部）
１５      表示文字
１６      図形
２０      連結部材
【図１】
0003135783.tif 000003
【図２】
0003135783.tif 000004
【図３】
0003135783.tif 000005
【図４】
0003135783.tif 000006